(57)【要約】【課題】複数の第２の配線がコネクタ対を介して第１の電線に電気的に接続される場合に、複数の第２の配線の各々の放熱性を向上する。【解決手段】コネクタ対を構成する第１のコネクタは、第１の端子を備える。第１の端子は、第１の電線に電気的に接続される。コネクタ対を構成する第２のコネクタは、第１のコネクタに嵌合することができ、少なくともひとつの第２の端子を備える。少なくともひとつの第２の端子は、複数の第２の電線に電気的に接続される。少なくともひとつの第２の端子は、第２のコネクタが第１のコネクタに嵌合した場合に第１の端子に接触する。複数の第２の電線は、互いに離されている。【選択図】図１
2020102313.tif 000002
【特許請求の範囲】
【請求項１】
第１の電線に電気的に接続される第１の端子を備える第１のコネクタと、
前記第１のコネクタに嵌合することができる第２のコネクタであって、互いに離された複数の第２の電線に電気的に接続することができ前記第２のコネクタが前記第１のコネクタに嵌合した場合に前記第１の端子に接触する少なくともひとつの第２の端子を備える第２のコネクタと、
を備えるコネクタ対。
【請求項２】
前記第１の端子は、複数の接触子を備え、
前記少なくともひとつの第２の端子は、複数の第２の端子であり、
前記複数の第２の端子は、それぞれ前記複数の第２の電線に電気的に接続され、前記第２のコネクタが前記第１のコネクタに嵌合した場合にそれぞれ前記複数の接触子に接触する
請求項１のコネクタ対。
【請求項３】
請求項１又は２のコネクタ対と、
前記第１の電線と、
前記複数の第２の電線と、
を備えるコネクタ付き電線。
【発明の詳細な説明】
【技術分野】
【０００１】
本発明は、コネクタ対及びコネクタ付き電線に関する。
【背景技術】
【０００２】
第２の電線が第１の電線に電気的に接続される際に、第２の電線がコネクタ対を介して第１の電線に電気的に接続される場合がある。この場合は、第１の電線が、コネクタ対を構成する第１のコネクタの端子に電気的に接続される。また、第２の電線が、コネクタ対を構成する第２のコネクタの端子に電気的に接続される。また、第１のコネクタが第２のコネクタに嵌合させられ、第１のコネクタの端子が第２のコネクタの端子に接触させられる。
【０００３】
第２の電線は、第２の電線に流れる電流により生じる熱を放熱することができる放熱性を有しなければならない。また、第２の電線の放熱性は、第２の電線が太くなるほど向上する。このため、第２の電線は、第２の電線に流れる電流により生じる熱を放熱することができる太さを有しなければならない。しかし、第２の電線が太くなった場合は、第２の電線の配策性が低下する。
【０００４】
この問題を解決するため、コネクタ対を介して複数の第２の配線を第１の電線に電気的に接続することが提案されている。
【０００５】
例えば、特許文献１に記載された技術においては、コネクタ付電線が、コネクタ、端子及び絶縁電線を含む（段落００８５）。また、複数の電線の共通の接続先が、ワイヤーハーネスのコネクタのバスバーである（段落００８８）。また、コネクタ付電線のコネクタが、ワイヤーハーネスのコネクタに形成された相手側キャビティに収容され、端子とバスバーとが嵌合する（段落００８４、００８５及び００８７）。複数の電線に含まれる電線は、絶縁電線に比べ比較的細い（段落００８６）。
【先行技術文献】
【特許文献】
【０００６】
【特許文献１】特開２０１６−１００１１０号公報
【発明の概要】
【発明が解決しようとする課題】
【０００７】
特許文献１に記載された技術においては、複数の電線の各々が隣接する電線に接触する。このため、複数の電線の各々の放熱性が低下している。
【０００８】
本発明は、この問題に鑑みてなされた。本発明が解決しようとする課題は、コネクタ対を介して複数の第２の配線が第１の電線に電気的に接続される場合に、複数の第２の配線の各々の放熱性を向上することである。
【課題を解決するための手段】
【０００９】
本発明は、コネクタ対に向けられる。
【００１０】
コネクタ対を構成する第１のコネクタは、第１の端子を備える。第１の端子は、第１の電線に電気的に接続される。
【００１１】
コネクタ対を構成する第２のコネクタは、第１のコネクタに嵌合することができ、少なくともひとつの第２の端子を備える。少なくともひとつの第２の端子は、互いに離された複数の第２の電線に電気的に接続することができる。少なくともひとつの第２の端子は、第２のコネクタが第１のコネクタに嵌合された場合に、第１の端子に接触する。
【００１２】
本発明は、当該コネクタ対を備えるコネクタ付電線にも向けられる。
【発明の効果】
【００１３】
本発明によれば、複数の第２の配線を互いに離すことができる。このため、複数の第２の配線の各々からの放熱が、隣接する第２の配線に阻害されない。これにより、複数の第２の配線の各々の放熱性を向上することができる。
【図面の簡単な説明】
【００１４】
【図１】第１実施形態のコネクタ付き電線を模式的に図示する斜視図である。
【図２】第１実施形態のコネクタ付き電線に備えられる要素間の電気的な接続を模式的に図示する模式図である。
【図３】第１実施形態のコネクタ付き電線に備えられる第１の端子を模式的に図示する斜視図である。
【図４】第２実施形態のコネクタ付き電線を模式的に図示する模式図である。
【発明を実施するための形態】
【００１５】
１  第１実施形態
図１は、第１実施形態のコネクタ付き電線を模式的に図示する斜視図である。図２は、第１実施形態のコネクタ付き電線に備えられる要素間の電気的な接続を模式的に図示する模式図である。図３は、第１実施形態のコネクタ付き電線に備えられる第１の端子を模式的に図示する斜視図である。
【００１６】
図１に図示される第１実施形態のコネクタ付き電線１００は、コネクタ対１１０を備える。コネクタ対１１０は、第１のコネクタ１１１及び第２のコネクタ１１２を備える。
【００１７】
第２のコネクタ１１２は、第１のコネクタ１１１に嵌合することができる。
【００１８】
第１のコネクタ１１１は、第１の端子１２１ａ及び第１の端子１２１ｂを備える。
【００１９】
第１のコネクタ１１１は、２回路を備え２回路の各々に１極を備える２極コネクタである。
【００２０】
第２のコネクタ１１２は、第２の端子１２２ａ及び第２の端子１２２ｂを備える。
【００２１】
第２のコネクタ１１２は、２回路を備え２回路の各々に２極を備える４極コネクタである。
【００２２】
第１のコネクタ１１１及び第２のコネクタ１１２の各々が、１回路のみを備えてもよく、３回路以上を備えてもよい。第２のコネクタ１１２に備えられる２回路の各々が３極以上を備えてもよい。
【００２３】
第２の端子１２２ａは、第２のコネクタ１１２が第１のコネクタ１１１に嵌合した場合に、第１の端子１２１ａに接触する。これにより、第２の端子１２２ａは、第２のコネクタ１１２が第１のコネクタ１１１に嵌合した場合に、第１の端子１２１ａに電気的に接続される。第２の端子１２２ｂは、第２のコネクタ１１２が第１のコネクタ１１１に嵌合した場合に、第１の端子１２１ｂに接触する。これにより、第２の端子１２２ｂは、第２のコネクタ１１２が第１のコネクタ１１１に嵌合した場合に、第１の端子１２１ｂに電気的に接続される。
【００２４】
第１の端子１２１ａは、図２及び図３に図示されるように、接触子１３１ａを備える。第１の端子１２１ｂは、図２及び図３に図示されるように、接触子１３１ｂを備える。
【００２５】
２個の第２の端子１２２ａは、第２のコネクタ１１２が第１のコネクタ１１１に嵌合した場合に、図２に図示されるように、それぞれ２個の接触子１３１ａに接触する。２個の第２の端子１２２ｂは、第２のコネクタ１１２が第１のコネクタ１１１に嵌合した場合に、図２に図示されるように、それぞれ２個の接触子１３１ｂに接触する。
【００２６】
第１の端子１２１ａ及び第１の端子１２１ｂは、オス端子である。第２の端子１２２ａ及び第２の端子１２２ｂは、メス端子である。しかし、第１の端子１２１ａ及び第１の端子１２１ｂがメス端子であってもよい。第１の端子１２１ａ及び第１の端子１２１ｂがメス端子である場合は、第２の端子１２２ａ及び第２の端子１２２ｂがオス端子となる。
【００２７】
第１のコネクタ１１１は、図１に図示されるように、第１の固定部材１４１及び第１のハウジング１５１を備える。
【００２８】
第１のハウジング１５１は、第１の端子１２１ａ、第１の端子１２１ｂ及び第１の固定部材１４１を収容する。第１の固定部材１４１は、第１の端子１２１ａ及び第１の端子１２１ｂを第１のハウジング１５１に固定する。
【００２９】
第２のコネクタ１１２は、図１に図示されるように、第２の固定部材１４２及び第２のハウジング１５２を備える。
【００３０】
第２のハウジング１５２は、第２の端子１２２ａ、第２の端子１２２ｂ及び第２の固定部材１４２を収容する。第２の固定部材１４２は、第２の端子１２２ａ及び第２の端子１２２ｂを第２のハウジング１５２に固定する。
【００３１】
コネクタ付き電線１００は、図２に図示されるように、第１の電線１６１ａ及び第１の電線１６１ｂを備える。また、コネクタ付き電線１００は、図１及び図２に図示されるように、第２の電線１６２ａ及び第２の配線１６２ｂを備える。
【００３２】
第１の端子１２１ａは、第１の電線１６１ａに電気的に接続される。第１の端子１２１ｂは、第１の電線１６１ｂに電気的に接続される。２個の第２の端子１２２ａは、それぞれ２本の第２の電線１６２ａに電気的に接続される。２個の第２の端子１２２ｂは、それぞれ２本の第２の電線１６２ｂに電気的に接続される。３個以上の第２の端子１２２ａが、それぞれ３本以上の第２の電線１６２ａに電気的に接続されてもよい。３個以上の第２の端子１２２ｂが、それぞれ３本以上の第２の電線１６２ｂに電気的に接続されてもよい。
【００３３】
これにより、第２のコネクタ１１２が第１のコネクタ１１１に嵌合した場合に、第１の電線１６１ａ、第１の端子１２１ａ、第２の端子１２２ａ及び第２の電線１６２ａが互いに電気的に接続され、１本の第１の電線１６１ａに流れる電流が２本の第２の電線１６２ａに分流する。また、第２のコネクタ１１２が第１のコネクタ１１１に嵌合した場合に、第１の電線１６１ｂ、第１の端子１２１ｂ、第２の端子１２２ｂ及び第２の電線１６２ｂが互いに電気的に接続され、１本の第１の電線１６１ｂに流れる電流が２本の第２の電線１６２ｂに分流する。
【００３４】
２本の第２の電線１６２ａは、２本の第２の電線１６２ａの各々の太さより大きな太さを有する１本の第２の配線と同等の放熱性を有しうる。例えば、２本の第２の電線１６２ａの各々の太さが４０ｓｑである場合は、２本の第２の電線１６２ａは、９５ｓｑを有する１本の第２の配線と同等の放熱性を有する。また、２本の第２の電線１６２ａは、２本の第２の電線１６２ａの各々の太さより大きな太さを有する１本の第２の配線の配策性より高い配策性を有しうる。２本の第２の電線１６２ｂについても同様である。
【００３５】
第２の端子１２２ａは、２本の第２の電線１６２ａを互いに離された状態で接続することができる構造を有する。例えば、第２の端子１２２ａは、図２に図示されるように、２本の第２の電線１６２ａがそれぞれ接続されコネクタ対１１０の嵌合方向Ｄと垂直をなす方向に離された２個の電線接続部１７０ａを備える。また、第２の端子１２２ｂは、２本の第２の電線１６２ｂを互いに離された状態で接続することができる構造を有する。例えば、第２の端子１２２ｂは、２本の第２の電線１６２ｂがそれぞれ接続されコネクタ対１１０の嵌合方向Ｄと垂直をなす方向に離された２個の電線接続部１７０ｂを備える。これにより、２本の第２の電線１６２ａの各々からの放熱が、隣接する第２の配線１６２ａに阻害されない。これにより、２本の第２の電線１６２ａの各々の放熱性を向上することができる。２本の第２の電線１６２ｂについても同様である。
【００３６】
２  第２実施形態
図４は、第２実施形態のコネクタ付き電線を模式的に図示する斜視図である。
【００３７】
図４に図示される第２実施形態のコネクタ付き電線２００は、コネクタ対２１０を備える。コネクタ対２１０は、第１のコネクタ２１１及び第２のコネクタ２１２を備える。
【００３８】
第２のコネクタ２１２は、第１のコネクタ２１１に嵌合することができる。
【００３９】
第１のコネクタ２１１は、第１の端子２２１を備える。
【００４０】
第２のコネクタ２１２は、第２の端子２２２を備える。
【００４１】
第２の端子２２２は、第２のコネクタ２１２が第１のコネクタ２１１に嵌合した場合に、第１の端子２２１に接触する。これにより、第２の端子２２２は、第２のコネクタ２１２が第１のコネクタ２１１に嵌合した場合に、第１の端子２２１に電気的に接続される。
【００４２】
第１の端子２２１は、オス端子である。第２の端子２２２は、メス端子である。しかし、第１の端子２２１がメス端子であってもよい。第１の端子２２１がメス端子である場合は、第２の端子２２２がオス端子となる。
【００４３】
第１のコネクタ２１１は、第１のハウジング２５１を備える。
【００４４】
第１のハウジング２５１は、第１の端子２２１を収容する。
【００４５】
第２のコネクタ２１２は、第２のハウジング２５２を備える。
【００４６】
第２のハウジング２５２は、第２の端子２２２を収容する。
【００４７】
コネクタ付き電線２００は、第１の電線２６１及び第２の配線２６２を備える。
【００４８】
第１の端子２２１は、第１の電線２６１に電気的に接続される。１個の第２の端子２２２は、２本の第２の配線２６２に電気的に接続される。１個の第２の端子２２２が、３本以上の第２の配線２６２に電気的に接続されてもよい。
【００４９】
これにより、第２のコネクタ２１２が第１のコネクタ２１１に嵌合した場合に、第１の電線２６１、第１の端子２２１、第２の端子２２２及び第２の配線２６２が互いに電気的に接続され、１本の第１の電線２６１に流れる電流が２本の第２の配線２６２に分流する。
【００５０】
２本の第２の配線２６２は、上述したように、２本の第２の配線２６２の各々の太さより大きな太さを有する１本の第２の配線と同等の放熱性を有しうる。また、２本の第２の配線２６２は、上述したように、２本の第２の配線２６２の各々の太さより大きな太さを有する１本の第２の配線の配策性より高い配策性を有しうる。
【００５１】
第２の端子２２２は、２本の第２の電線２６２を互いに離された状態で接続することができる構造を有する。例えば、第２の端子２２２は、２本の第２の電線２６２がそれぞれ接続されコネクタ対２１０の嵌合方向Ｄと垂直をなす方向に離された２個の電線接続部２７０を備える。これにより、２本の第２の配線２６２の各々からの放熱が、隣接する第２の配線２６２に阻害されない。これにより、２本の第２の配線２６２の各々の放熱性を向上することができる。
【符号の説明】
【００５２】
１００，２００  コネクタ付き電線
１１０，２１０  コネクタ対
１１１，２１１  第１のコネクタ
１２１ａ，１２１ｂ，２２１  第１の端子
１３１ａ，１３１ｂ  接触子
１１２，２１２  第２のコネクタ
１２２ａ，１２２ｂ，２２２  第２の端子
１６１ａ，１６１ｂ，２６１  第１の電線
１６２ａ，１６２ｂ，２６２  第２の電線
【図１】
2020102313.tif 000003
【図２】
2020102313.tif 000004
【図３】
2020102313.tif 000005
【図４】
2020102313.tif 000006